(57)【要約】【課題】相互にノイズ干渉する電子部品などの部品を近接させた位置に配置しても、これら部品のノイズ干渉を抑えることができるデジタル回路基板及びデジタル回路基板を備えた映像表示装置を提供する。【解決手段】表示部３に映像を表示するための回路を構成するデジタル回路基板１０の何れか一方面１０Ａにデジタルチューナー１２を設け、デジタルチューナー１２の設けた一方面１０Ａの反対側である他方面１０Ｂに、表示部３に映像を表示するためのデータ信号の表示制御処理を行う復調ＩＣ２１を設ける。これにより、デジタルチューナー１２と復調ＩＣ２１との間にはデジタル回路基板１０が介在するので、デジタルチューナー１２と復調ＩＣ２１とがノイズ干渉することを防止することができる。【選択図】図４
2007324352.tif 000002
【特許請求の範囲】
【請求項１】
表示部に映像を表示するための回路を構成するデジタル回路基板の何れか一方面に、前記表示部に映像を表示するためのデータ信号が外部から入力されるデジタルチューナーを設け、該デジタルチューナーの設けた一方面の反対側である他方面に、前記表示部に映像を表示するためのデータ信号の表示制御処理を行う復調ＩＣを設けたことを特徴とするデジタル回路基板。
【請求項２】
前記デジタル回路基板は複数の層からなる多層基板であることを特徴とする請求項１記載のデジタル回路基板。
【請求項３】
前記デジタル回路基板を多層基板とし、該多層基板の両面に前記デジタルチューナーと復調ＩＣの設けられるシグナル層を有し、これらシグナル層の間にグランド層を一体に介在させて設けたことを特徴とする請求項１記載のデジタル回路基板。
【請求項４】
表示部に映像を表示するための回路を構成するデジタル回路基板を備えた映像表示装置であって、該映像表示装置の外観を形成する筐体内に前記デジタル回路基板を固定し、該固定されたデジタル回路基板の何れか一方面に、前記表示部に映像を表示するためのデータ信号が外部から入力されるデジタルチューナーを設け、該デジタルチューナーの設けた一方面の反対側である他方面に、前記表示部に映像を表示するためのデータ信号の表示制御処理を行う復調ＩＣを設けたことを特徴とするデジタル回路基板を備えた映像表示装置。
【発明の詳細な説明】
【技術分野】
【０００１】
本発明は、デジタル信号の制御処理などを行うための回路を構成するデジタル回路基板及びこのデジタル回路基板を備えた映像表示装置に関し、特に、デジタル回路基板に相互にノイズ干渉する電子部品を設ける際、これら部品の相互間の距離を離して配置しなくても電磁波などでノイズ干渉することを防止することが可能なデジタル回路基板及びこのデジタル回路基板を備えた映像表示装置に関する。
【背景技術】
【０００２】
近年、液晶ディスプレイやプラズマディスプレイなどの表示部を備えたテレビジョン受像機は、デジタルチューナーやＭＰＥＧ‐ＩＣなどのデジタル信号処理を行うための種々の電子部品が多数装置内に設けられている。このようなテレビジョン受像機などの映像を表示する表示装置の外観は、奥行き寸法が小さく薄型化されている。
【０００３】
ところで、装置内に設けられ相互にノイズ干渉するデジタルチューナーと復調ＩＣなどとの配置は、従来、同一の基板上の片面にノイズ干渉しないよう離間して配置することでノイズ干渉の防止を図ることが一般的となっている。
【０００４】
また、１４インチ程度の小型で薄型化された液晶テレビジョン受像機においては、特にその筐体内のスペースが小さいため、筐体内に配置される回路基板は小さくなるため、例えば、デジタル信号の処理を行うための回路をほぼ全て構成するデジタルブロックを、単独の小さい回路基板のみに全て設けるにはスペース的に困難であることから、接続ケーブル等で相互に接続した複数の回路基板に、前述したデジタルブロックの回路を構成する種々の電子部品を設けることで、デジタル信号を処理するための回路を構成するようにして対応していた。こうした従来技術に関連するものとして、特許文献１には小型化を目的として、同一のプリント基板に、復調ＩＣたる復調及び誤り訂正回路、データの入力される入力端子、及び水晶振動子を設け、これら複数の部品が、プリント基板上の水平方向に近接した状態で配置されている復調ユニットが開示されている。
【０００５】
【特許文献１】特開平１１−４１３０６号公報
【発明の開示】
【発明が解決しようとする課題】
【０００６】
しかし、特許文献１では、復調及び誤り訂正回路などの復調ＩＣ、入力端子、及び水晶振動子が、同一のプリント基板に近接した状態で配置されており、しかも、これらを構成するプリント基板の側方にチューナを配置しているので、チューナと復調ＩＣとがノイズ干渉してしまう懸念がある。
【０００７】
また、前述した、デジタルチューナーやＭＰＥＧ‐ＩＣなどを設けると共に、デジタル信号の処理などを行うための回路を構成するデジタル回路基板を備えた小型で薄型化された液晶テレビジョン受像機では、デジタルチューナー、復調ＩＣ，ＭＰＥＧ‐ＩＣなどの主要な電子部品を、デジタル回路基板のどちらか一方の面のみに配置する場合、部品同士のノイズの相互干渉の不具合を解消するために、ノイズ干渉するデジタルチューナーと復調ＩＣとの距離を基板の水平方向にできるだけ確保して配置したとしても、小さいサイズの回路基板ではその距離を確保するにも限界があり、電磁波の強さいかんによっては、回路基板に設けた電子部品同士が少なからずノイズ干渉してしまう懸念がある。
【０００８】
本発明は、上述した課題に鑑みてなされたものであり、相互にノイズ干渉する電子部品などの部品を近接させた位置に配置しても、これら部品のノイズ干渉を抑えることができ、また、回路基板の部品実装面の効率化を図ることでコストを抑えたデジタル回路基板及びデジタル回路基板を備えた映像表示装置を提供することを目的とする。
【課題を解決するための手段】
【０００９】
請求項１に記載のデジタル回路基板は、表示部に映像を表示するための回路を構成するデジタル回路基板の何れか一方面に、前記表示部に映像を表示するためのデータ信号が外部から入力されるデジタルチューナーを設け、該デジタルチューナーの設けた一方面の反対側である他方面に、前記表示部に映像を表示するためのデータ信号の表示制御処理を行う復調ＩＣを設けたことを特徴とする。
【００１０】
請求項２に記載のデジタル回路基板は、請求項１記載のデジタル回路基板において、前記デジタル回路基板は複数の層からなる多層基板であることを特徴とする。
【００１１】
請求項３に記載のデジタル回路基板は、請求項１記載のデジタル回路基板において、前記デジタル回路基板を多層基板とし、該多層基板の両面に前記デジタルチューナーと復調ＩＣの設けられるシグナル層を有し、これらシグナル層の間にグランド層を一体に介在させて設けたことを特徴とする。
【００１２】
請求項４に記載のデジタル回路基板を備えた映像表示装置は、表示部に映像を表示するための回路を構成するデジタル回路基板を備えた映像表示装置であって、該映像表示装置の外観を形成する筐体内に前記デジタル回路基板を固定し、該固定されたデジタル回路基板の何れか一方面に、前記表示部に映像を表示するためのデータ信号が外部から入力されるデジタルチューナーを設け、該デジタルチューナーの設けた一方面の反対側である他方面に、前記表示部に映像を表示するためのデータ信号の表示制御処理を行う復調ＩＣを設けたことを特徴とする。
【発明の効果】
【００１３】
請求項１に記載のデジタル回路基板によれば、表示部に映像を表示するための回路を構成するデジタル回路基板の何れか一方面に、前記表示部に映像を表示するためのデータ信号が外部から入力されるデジタルチューナーを設け、該デジタルチューナーの設けた一方面の反対側である他方面に、前記表示部に映像を表示するためのデータ信号の表示制御処理を行う復調ＩＣを設けたので、デジタルチューナーと復調ＩＣとの間に介在するデジタル回路基板で、デジタルチューナーと復調ＩＣとがノイズ干渉することを防止することができる。
【００１４】
請求項２に記載のデジタル回路基板によれば、請求項１記載のデジタル回路基板において、前記デジタル回路基板は複数の層からなる多層基板であるので、デジタルチューナーと復調ＩＣとの間に介在する多層のデジタル回路基板で、デジタルチューナーと復調ＩＣとがノイズ干渉することを防止することができる。
【００１５】
請求項３に記載のデジタル回路基板によれば、請求項１記載のデジタル回路基板において、前記デジタル回路基板を多層基板とし、該多層基板の両面に前記デジタルチューナーと復調ＩＣの設けられるシグナル層を有し、これらシグナル層の間にグランド層を一体に介在させて設けたので、金属製などのグランド層によって、デジタルチューナーと復調ＩＣとがノイズ干渉することをより確実に防止することができる。
【００１６】
請求項４に記載のデジタル回路基板を備えた映像表示装置によれば、表示部に映像を表示するための回路を構成するデジタル回路基板を備えた映像表示装置であって、該映像表示装置の外観を形成する筐体内に前記デジタル回路基板を固定し、該固定されたデジタル回路基板の何れか一方面に、前記表示部に映像を表示するためのデータ信号が外部から入力されるデジタルチューナーを設け、該デジタルチューナーの設けた一方面の反対側である他方面に、前記表示部に映像を表示するためのデータ信号の表示制御処理を行う復調ＩＣを設けたので、デジタルチューナーと復調ＩＣとの間に介在するデジタル回路基板で、デジタルチューナーと復調ＩＣとがノイズ干渉することを防止することができる映像表示装置を提供することができる。
【発明を実施するための最良の形態】
【００１７】
本発明の実施の形態を、図面を参照して説明する。尚、以下の実施例は本発明の具体例に過ぎず、本発明が以下の実施形態に限定されるものではない。
【００１８】
図１は本発明の一例を示す映像表示装置たる液晶テレビジョン受像機である。同図に示す液晶テレビジョン受像機１は、外観を形成するフロントキャビネット２Ａとバックキャビネット２Ｂからなる筐体２を有し、フロントキャビネット２Ａの前面側には映像を表示する表示部３が取り付けられている。この表示部３は、近年提供されている３２インチ以上の大型な表示部と比べ、１４インチの比較的大きくないサイズとなっており、液晶テレビジョン受像機１の外観は、前後方向の寸法を抑え薄型化され、且つ小型なものとなっている。
【００１９】
図２は、筐体内に設けられる平板状のデジタル回路基板１０である。同図に示すように、このデジタル回路基板１０の一方面１０Ａには、復調ＩＣ発振子１１、デジタルチューナー１２、ＭＰＥＧ‐ＩＣ（Ｍｏｖｉｎｇ  Ｐｉｃｔｕｒｅ  Ｅｘｐｅｒｔｓ  Ｇｒｏｕｐ‐Ｉｎｔｅｇｒａｔｅｄ  Ｃｉｒｃｕｉｔ）１３、図示しないＰＣカードを接続するためのＰＣカード用コネクタ１４、線材コネクタ１５、ＭＰＥＧ  ＩＣ１３と復調ＩＣ２１とを接続したデータ入力端子（図示せず）などの部品が設けられており、デジタル回路基板１０の他方面１０Ｂは、表示部３の背面側に対向する位置にネジ止めなどにより固定されている。
【００２０】
また、図３は、図２に示したデジタル回路基板１０の反対側である他方面を示したものである。図３に示すように、デジタル回路基板１０の他方面１０Ｂには、このデジタル回路基板１０と他の回路基板とを接続するための接続コネクタ２０、ＲＦ変調された信号を復元（復調）する復調ＩＣ２１、データ記憶手段たるＳＤＲＡＭ２２及びフラッシュメモリ２３などの部品が設けられ、さらに、デジタル回路基板１０の他方面１０Ｂには、デジタルチューナー１２からのＲＦ変調された信号（データ信号）を復調ＩＣ２１に出力するためのデジタルチューナー出力端子２４、復調ＩＣ発振子１１とデジタルチューナー１２とを接続した復調ＩＣ用出力端子２５が設けられている。なお、デジタル回路基板１０の他方面１０Ｂに有するデジタルチューナー出力端子２４と復調ＩＣ用出力端子２５とは、復調ＩＣ２１の対角線上であって且つ復調ＩＣとの接続が近くなるように、デジタル回路基板１０に設けた復調ＩＣ２１の近傍に設ける。これにより、デジタルチューナー出力端子２４と復調ＩＣ用出力端子２５との間の信号の流れが、例えば最短化した状態でシグナル層３０にてパターン配線することが可能になることから、前記パターン配線による信号の流れがノイズ干渉の影響を受け難くすることが可能となる。
【００２１】
図４はデジタル回路基板に設けられた前記種々の部品の配置関係を示す説明図であり、図５はデジタル回路基板に設けられた部品の配置関係を示す断面図である。図４及び図５に示すように、デジタルチューナー１２と復調ＩＣ２１とは、デジタル回路基板１０を介在させた状態で相互に重なる（デジタル回路基板１０の前後方向）ようにして近傍に配置されている。
【００２２】
また、図５に示すようにデジタル回路基板１０は、前述した、復調ＩＣ発振子１１、デジタルチューナー１２、ＭＰＥＧ‐ＩＣ１３，ＰＣカード用コネクタ１４、線材コネクタ１５、接続コネクタ２０、復調ＩＣ２１、ＳＤＲＡＭ２２、及びフラッシュメモリ２３などの電子部品が設けられたシグナル層３０，３０、グランド（ＧＮＤ）層３１、ＶＣＣ（電源）層３２を有し、これらにより、４層の多層回路基板が構成されており、本実施例における、デジタルチューナー１２と復調ＩＣ２１で挟まれるように配置されたデジタル回路基板１０には、シグナル層３０と同じ面積のグランド層３１を備え、このグランド層３１は２つのシグナル層３０により挟持されている。なお、グランド層３１は全体が金属製であることから、このグランド層３１により、デジタルチューナー１２と復調ＩＣ２１とが電磁波などでノイズ干渉することを確実に防止することができる。
【００２３】
次に、表示部３に映像を表示する際のデジタル回路基板１０におけるデータ信号の流れについて、図４に基づき以下に説明する。
【００２４】
外部からデジタル回路基板１０の一方面１０Ａに配置されているデジタルチューナー１２にデータ信号が入力されると、デジタルチューナー１２に入力されたデータ信号は、デジタルチューナー出力端子２４を介して、一旦、デジタル回路基板１０の他方面１０Ｂに配置されている復調ＩＣ２１に入力される。次に、この復調ＩＣ２１に入力されたデータ信号は、再びデジタル回路基板１０の一方面に配置されているＭＰＥＧ‐ＩＣ１３にデータ入力端子を介して出力される。本実施例における映像を表示するための回路を構成したデジタル回路基板１０においては、表示部３に映像を表示する際のデータ信号の流れが、デジタル回路基板１０の一方面１０Ａのデジタルチューナー１２から、その反対側の他方面１０Ｂに設けられた復調ＩＣ２１に出力され、再度デジタル回路基板１０の一方面１０ＡのＭＰＥＧ‐ＩＣ１３に出力されるようになっており、デジタルチューナー１２と、このデジタルチューナー１２とノイズ干渉する復調ＩＣ２１とを、デジタル回路基板１０の同じ面に配置するのではなく異なる面に配置し、デジタルチューナー１２と復調ＩＣ２１との間に金属製のグランド層３１を有するデジタル回路基板１０を介在させることで、デジタルチューナー１２と復調ＩＣ２１との相互間のノイズ干渉を遮蔽することができる。
【００２５】
また、回路基板の片面のみに、相互にノイズ干渉するデジタルチューナーと復調ＩＣを設ける場合では、これら相互間の距離が近いとノイズ干渉が起きてしまうことから、これらの距離を離して配置するために、比較的大きいサイズの回路基板を採用していたものの、本実施例では、ノイズ干渉する電子部品同士であるデジタルチューナー１２と復調ＩＣ２１とを近くに配置しても、これら相互間のノイズ干渉を防止することができる。従って、ノイズ干渉を回避するために、大きいサイズのデジタル回路基板を用いなくて済むことで、回路基板のサイズを小さくすることが可能となり、比較的表示部３のサイズが小さい１４インチ〜２０インチ程度の小型且つ薄型化された液晶テレビジョン受像機１であっても、その筐体２内に、相互にノイズ干渉する懸念のあるデジタルチューナー１２と復調ＩＣ２１とを設けたデジタル回路基板１０を、ノイズ干渉の不具合なく設けることが可能となる。
【００２６】
さらに、従来のように、回路基板の片面のみに種々の電子部品を設ける場合には、複数の部品が高密化した状態で配置することになったり、部品点数が多ければそれにあわせて筐体内に電子部品を設けるための回路基板の枚数を増加して対応することになるが、回路基板の何れかの片面のみに高密化して電子部品を配置せずに、デジタル回路基板１０の一方面１０Ａ及び他方面１０Ｂ、つまり、両面に電子部品を設けることで、１枚のデジタル回路基板１０で複数の部品が高密化しないように離間して配置することが可能となる。よって、デジタル回路基板１０に部品を取り付ける際の作業性も向上できると共に、部品点数の多さにあわせて回路基板を増やさずに済むのでコストを安価に抑えることが可能とできる。
【図面の簡単な説明】
【００２７】
【図１】本発明の一例を示す表示装置たる液晶テレビジョン受像機である。
【図２】同上、液晶テレビジョン受像機の筐体内に設けられるデジタル回路基板１０の一方面を示す正面図である。
【図３】同上、液晶テレビジョン受像機の筐体内に設けられるデジタル回路基板１０の他方面を示す背面図である。
【図４】同上、デジタル回路基板に設けられた種々の部品の配置関係を示す説明図である。
【図５】同上、デジタル回路基板に設けられた部品の配置関係を示す断面図である。
【符号の説明】
【００２８】
１  映像表示装置（液晶テレビジョン受像機）
２  筐体
３  表示部
１０  デジタル回路基板（多層基板）
１０Ａ  一方面
１０Ｂ  他方面
１２  デジタルチューナー
２１  復調ＩＣ
３０  シグナル層
３１  グランド層
【図１】
2007324352.tif 000003
【図２】
2007324352.tif 000004
【図３】
2007324352.tif 000005
【図４】
2007324352.tif 000006
【図５】
2007324352.tif 000007